(57)【要約】【課題】静電気によって基板が破損するのを防止することができるようにする。【解決手段】操作者によって保守される保守部位と、該保守部位に配設され、導電性材料によって形成され、装置本体に配設されたグラウンドに接続された触手部とを有する。保守部位に触手部が配設され、触手部がグラウンドに接続されるので、操作者が帯びている静電気が触手部を介してグラウンドに放電されることによって、基板に伝わることがなくなる。したがって、基板が破損するのを防止することができる。【選択図】図１
2008225344.tif 000002
【特許請求の範囲】
【請求項１】
（ａ）操作者によって保守される保守部位と、
（ｂ）該保守部位に配設され、導電性材料によって形成され、装置本体に配設されたグラウンドに接続された触手部とを有することを特徴とする電子装置。
【請求項２】
（ａ）操作者が装置本体にアクセスするための操作部を有するとともに、
（ｂ）該操作部は、導電性材料によって形成され、装置本体に配設されたグラウンドに接続されることを特徴とする電子装置。
【請求項３】
（ａ）開閉自在に配設されたカバーを有するとともに、
（ｂ）前記操作部は、カバーを開放するための操作部である請求項２に記載の電子装置。
【請求項４】
（ａ）操作者によって保守される保守部位と、
（ｂ）該保守部位に隣接させて配設され、導電性材料によって形成され、装置本体に配設されたグラウンドに接続された触手部とを有することを特徴とする画像形成装置。
【請求項５】
前記保守部位は像担持体を露光するための露光部である請求項４に記載の画像形成装置。
【請求項６】
（ａ）開閉自在に配設されたカバーと、
（ｂ）該カバーに配設され、前記露光部を保持する保持部とを有するとともに、
（ｃ）前記触手部は、保持部の表面に露出させて配設される請求項４に記載の画像形成装置。
【発明の詳細な説明】
【技術分野】
【０００１】
本発明は、電子装置及び画像形成装置に関するものである。
【背景技術】
【０００２】
従来、プリンタ、複写機、ファクシミリ装置、複合機等の電子装置としての画像形成装置、例えば、プリンタにおいては、ＬＥＤヘッドが配設され、該ＬＥＤヘッドは、保持ホルダによって保持され、コイルスプリングによって動作位置が規定されるようになっている。
【０００３】
ところで、前記プリンタを動作させると、該プリンタ内部には静電気が発生する。そこで、ＬＥＤヘッド等に蓄積された静電気を、コイルスプリングを介して保持ホルダに伝え、更に、プリンタ内の回路を介してグラウンドに伝えて逃がすようにしている（例えば、特許文献１参照。）。
【特許文献１】特許第３５０４１７０号公報
【発明の開示】
【発明が解決しようとする課題】
【０００４】
しかしながら、前記従来のプリンタにおいては、操作者がＬＥＤヘッドの表面に配設されたロッドレンズアレイに触れると、操作者が帯びている静電気がロッドレンズアレイを介してＬＥＤヘッド内のＬＥＤアレイ及びドライブＩＣが搭載された基板に伝わることがあり、その場合、基板が破損してしまう。
【０００５】
本発明は、前記従来のプリンタの問題点を解決して、静電気によって基板が破損するのを防止することができる電子装置及び画像形成装置を提供することを目的とする。
【課題を解決するための手段】
【０００６】
そのために、本発明の電子装置においては、操作者によって保守される保守部位と、該保守部位に配設され、導電性材料によって形成され、装置本体に配設されたグラウンドに接続された触手部とを有する。
【発明の効果】
【０００７】
本発明によれば、電子装置においては、操作者によって保守される保守部位と、該保守部位に配設され、導電性材料によって形成され、装置本体に配設されたグラウンドに接続された触手部とを有する。
【０００８】
この場合、保守部位に触手部が配設され、触手部がグラウンドに接続されるので、操作者が帯びている静電気が、触手部を介してグラウンドに放電されることによって、基板に伝わることがなくなる。したがって、基板が破損するのを防止することができる。
【発明を実施するための最良の形態】
【０００９】
以下、本発明の実施の形態について図面を参照しながら詳細に説明する。この場合、電子装置としての画像形成装置、例えば、プリンタについて説明する。
【００１０】
図１は本発明の第１の実施の形態におけるプリンタの要部を示す斜視図、図２は本発明の第１の実施の形態におけるプリンタの概念図である。
【００１１】
図に示されるように、１１はプリンタであり、該プリンタ１１は、媒体としての図示されない用紙がセットされた媒体収容部としての媒体カセット１２を備える。前記用紙は、給紙ローラ１３及び分離片１４によって１枚ずつ分離させられて繰り出された後、第１の媒体検出部としての吸入センサ１５に到達し、該吸入センサ１５によって検出された後、レジストローラ１６及びピンチローラ１７によって搬送路１８に送られる。
【００１２】
そして、第２の媒体検出部としての通過センサ１９によって用紙が検出されると、画像形成部を構成する画像形成ユニット２０において、現像剤像としてのトナー像の形成が開始される。続いて、該トナー像は転写部材としての転写ローラ２１によって用紙に転写される。
【００１３】
次に、前記画像形成ユニット２０について説明する。
【００１４】
まず、回転自在に配設された像担持体としての感光体ドラム２２の表面が帯電装置としての帯電ローラ２３によって、負の極性に、一様に帯電させられる。そして、負の極性に帯電させられた部分が、露光装置としての露光装置ユニット８９と対向する位置に到達すると、該露光装置ユニット８９が感光体ドラム２２を露光し、感光体ドラム２２の表面の帯電させられた部分に、画像データに基づく潜像としての静電潜像を形成する。
【００１５】
該静電潜像は、現像剤担持体としての現像ローラ２５によって現像され、トナー像となる。該トナー像は前記転写ローラ２１によって用紙に転写される。
【００１６】
続いて、トナー像が転写された用紙は、定着装置としての定着器９１に送られる。該定着器９１は、定着部材としての、かつ、加熱部材としての加熱ローラ２６、及び該加熱ローラ２６と接触させて配設された加圧部材としての加圧ローラ２７を備え、前記トナー像が転写された用紙が、加熱ローラ２６と加圧ローラ２７との間に挟持されて搬送され、加熱され、加圧されると、前記トナー像が定着させられる。そして、トナー像が定着させられた用紙は、排出ローラ２８及び従動ローラ２９によって排出スタッカ３０に排出される。該排出スタッカ３０は、プリンタ１１のカバーを兼ねていて、プリンタ１１の本体、すなわち、装置本体の下側筐体１０に対して、図示されない軸を中心として揺動自在に配設される。
【００１７】
なお、前記露光装置ユニット８９は、露光部材としてのＬＥＤヘッド２４、前記排出スタッカ３０の裏側に配設され、ＬＥＤヘッド２４を保持する保持部材としての保持ホルダ３４等を備え、該保持ホルダ３４に、放電部材としての、かつ、触手部材としての導電性フィルム３６が取り付けられる。そして、ＬＥＤヘッド２４に集光部材としてのロッドレンズアレイ３３が配設される。
【００１８】
次に、露光装置ユニット８９について説明する。
【００１９】
図３は本発明の第１の実施の形態における露光装置ユニットの断面図、図４は本発明の第１の実施の形態におけるＬＥＤヘッドの斜視図、図５は本発明の第１の実施の形態における露光装置ユニットの分解斜視図、図６は本発明の第１の実施の形態における露光装置ユニットの要部を示す図である。
【００２０】
図において、８９は露光装置ユニット、２４はＬＥＤヘッド、３４は保持ホルダである。前記ＬＥＤヘッド２４は、静電潜像を形成するために発光する複数の発光素子としてのＬＥＤから成るＬＥＤアレイ３１を備え、該ＬＥＤアレイ３１は、図示されない駆動部としてのドライブＩＣと共に、第１の制御部位としての図示されない基板に搭載され、ドライブＩＣによって駆動される。前記基板は、接続ケーブル３２を介して装置本体側に配設された第２の制御部位としての図示されない制御基板と接続される。該制御基板には、プリンタ１１（図２）の全体の制御を行う制御装置としてのＣＰＵ、記憶装置としてのメモリ等が搭載される。
【００２１】
この場合、前記ＬＥＤヘッド２４は、ＣＰＵから接続ケーブル３２を通って画像信号が送られると、画像信号に対応させてＬＥＤアレイ３１のＬＥＤを選択的に発光させる。発光に伴って放射された光は、前記ロッドレンズアレイ３３によって集束され、感光体ドラム２２の表面に照射される。その結果、感光体ドラム２２が露光され、感光体ドラム２２の表面に画像部と非画像部とから成る静電潜像が形成される。
【００２２】
なお、前記ＬＥＤヘッド２４の基板、ＬＥＤアレイ３１、ドライブＩＣ、ロッドレンズアレイ３３等は、非導電性材料によって形成され、断面が「コ」字状の形状を有する発光部保持部材としてのＬＥＤホルダ４３によって包囲され、保持される。該ＬＥＤホルダ４３の上部は、断面が「コ」字状の形状を有するベース部材としての印字ヘッドベース４１によって覆われ、前記基板、ＬＥＤアレイ３１、ドライブＩＣ、ロッドレンズアレイ３３等が保護される。前記印字ヘッドベース４１は、導電性材料、例えば、金属材料によって形成され、ＬＥＤホルダ４３に対し、例えば、シリコン接着剤等の、非導電性の材料によって形成される接着剤によって接着され、固定される。また、ＬＥＤアレイ３１と印字ヘッドベース４１との間には、非導電性材料によって形成される絶縁シート４４が配設される。
【００２３】
したがって、ＬＥＤホルダ４３内に配設された前記基板、ＬＥＤアレイ３１、ドライブＩＣ等の部品は、ＬＥＤホルダ４３及び絶縁シート４４によって包囲されるので、外部からの電気的影響から保護される。
【００２４】
前記印字ヘッドベース４１上には、導電性材料、例えば、金属材料によって形成される付勢部材としての複数の、本実施の形態においては、一対のコイルスプリング３５が、一端を印字ヘッドベース４１に当接させて配設される。前記コイルスプリング３５の他端は、保持ホルダ３４に形成された押圧部３４ａに当接させられ、ＬＥＤヘッド２４を下方に向けて、すなわち、感光体ドラム２２側に向けて付勢する。なお、ＬＥＤヘッド２４は、所定の量以上下方に移動しないように、保持ホルダ３４に形成された図示されない規制部によって規制され、動作位置が規定される。これにより、ＬＥＤヘッド２４と画像形成ユニット２０との位置関係を適正に保つことができる。
【００２５】
ところで、プリンタ１１における動作部が動作すると、プリンタ１１内部、例えば、ＬＥＤヘッド２４と当接する画像形成ユニット２０等において発生した静電気が、印字ヘッドベース４１等に帯電する。そこで、ＬＥＤヘッド２４等に帯電又は放電された静電気を、ＬＥＤアレイ３１、コイルスプリング３５等を介して接触部材としてのコンタクト４２に伝え、更にプリンタ１１内の回路、装置本体の導電性材料、例えば、金属材料によって形成される部位、すなわち、導電性部位等を介して図示されない電源基板上のグラウンドに伝えて逃がすようにしている。
【００２６】
また、前述されたように、保持ホルダ３４の所定の箇所に導電性フィルム３６が配設される。該導電性フィルム３６は、導電性材料、例えば、アルミニウム箔によって形成され、「Ｕ」字状に折り曲げられた主要部９２、該主要部９２から突出させて形成された接触部９３等を備え、前記主要部９２は、第１、第２の帯状部９４、９５及び折曲部９６を備える。そして、該折曲部９６を押え部材９７によって押さえることにより、前記導電性フィルム３６は保持ホルダ３４に取り付けられる。なお、前記第２の帯状部９５の先端にアーム部１０１、１０２が突出させて形成され、該アーム部１０１、１０２を第１の帯状部９４の裏側で係止させることによって、第１、第２の帯状部９４、９５により押え部材９７を包囲することができる。したがって、導電性フィルム３６を安定させて保持ホルダ３４に取り付けることができる。
【００２７】
前記第１の帯状部９４は、保持ホルダ３４を貫通して上方に延び、先端において排出スタッカ３０に取り付けられ、該排出スタッカ３０を介して装置本体の導電性部位に電気的に接続される。また、前記接触部９３は、コイルスプリング３５の上端と電気的に接触させられる。
【００２８】
したがって、ＬＥＤヘッド２４に帯電又は放電された静電気を、コイルスプリング３５を介して導電性フィルム３６に伝え、排出スタッカ３０、装置本体の導電性部位等を介して電源基板上のグラウンドに伝えて逃がすことができる。
【００２９】
さらに、導電性フィルム３６が受けた静電気を、第１の帯状部９４から前記導電性部位等を介して電源基板上のグラウンドに伝えて逃がすほかに、接触部９３から、一方のコイルスプリング３５、印字ヘッドベース４１、他方のコイルスプリング３５、コンタクト４２、プリンタ１１内の回路、前記導電性部材等を介して電源基板上のグラウンドに伝えて逃がすことができる。
【００３０】
したがって、ＬＥＤヘッド２４等によって発生させられた静電気、導電性フィルム３６が受けた静電気等がＬＥＤヘッド２４の基板に伝わることがなくなるので、基板が破損するのを防止することができる。
【００３１】
なお、前記導電性フィルム３６は、押え部材９７によって保持ホルダ３４に取り付けられるが、その取付位置は、図１に示されるように、排出スタッカ３０を開いたときに接続ケーブル３２を覆うように、露光装置ユニット８９の右側の上面に設定される。これにより、導電性フィルム３６は、操作者によって視認しやすく、かつ、触れやすい状態で接続ケーブル３２を保護することができる。
【００３２】
ところで、プリンタ１１を使用して印刷を行った場合、印刷枚数が多くなるのに伴って、ロッドレンズアレイ３３に現像剤としてのトナー、紙粉等の汚れが付着して、画像品位が低下してしまうことがある。そこで、定期的にロッドレンズアレイ３３に付着した汚れを取るようにしている。そのために、印刷枚数が所定の値に達するごとに、例えば、柔らかい布等でロッドレンズアレイ３３を拭くようにして、ロッドレンズアレイ３３のクリーニングを行う。なお、ＬＥＤヘッド２４、ロッドレンズアレイ３３等によって保守部位が構成される。
【００３３】
ところが、ロッドレンズアレイ３３の近傍に導電性フィルム３６が配設されるので、ロッドレンズアレイ３３に触れる前に、操作者が保持ホルダ３４に取り付けられた導電性フィルム３６に触れることによって、操作者が帯びている静電気を導電性フィルム３６を介してグラウンドに逃がすことができる。
【００３４】
このように、本実施の形態においては、クリーニングを行う等の保守の作業を行う必要がある箇所の近傍に、グラウンドに接続された導電性フィルム３６が配設されるので、保守の作業を行うのに伴って、操作者が帯びている静電気をグラウンドに逃がすことができる。したがって、操作者が帯びている静電気が印字ヘッド２４の基板に伝わることがなくなるので、基板が破損するのを防止することができる。
【００３５】
なお、装置本体に対して着脱自在に配設された消耗品としての画像形成ユニット２０等を交換する等の保守の作業を行う場合にも本発明を適用することができる。その場合、例えば、画像形成ユニット２０によって保守部位が構成され、画像形成ユニット２０の取手部に、導電性材料によって形成された、放電部材としての、かつ、触手部としての金属部材を取り付け、該金属部材と、装置本体側の電源基板上のグラウンドとを電気的に接続すると、画像形成ユニット２０を交換するために、操作者が取手部に触れたときに、操作者が帯びている静電気を、金属部材を介してグラウンドに逃がすことができる。なお、前記画像形成ユニット２０を、画像形成ユニット２０の本体、すなわち、画像形成ユニット本体、及び該画像形成ユニット本体に対して着脱自在に配設された現像剤収容部としてのトナーカートリッジによって構成する場合には、トナーカートリッジが消耗品となり、画像形成ユニット２０及びトナーカートリッジによって保守部位が構成される。
【００３６】
次に、本発明の第２の実施の形態について説明する。なお、第１の実施の形態と同じ構造を有するものについては、同じ符号を付与し、同じ構造を有することによる発明の効果については同実施の形態の効果を援用する。
【００３７】
図７は本発明の第２の実施の形態におけるプリンタの要部を示す斜視図、図８は本発明の第２の実施の形態におけるプリンタの使用形態を示す斜視図である。
【００３８】
この場合、図７に示されるように、露光部材としてのＬＥＤヘッド２４の左右に触手部としての導電性フィルム３６が配設される。そして、図８に示されるように、両手でクリーニングを行い、例えば、左手でＬＥＤヘッド２４を押え、右手で集光部材としてのロッドレンズアレイ３３を拭く場合は、導電性フィルム３６に自然と手を添えることになる。したがって、操作者が帯びている静電気を、導電性フィルム３６を介して確実にグラウンドに逃がすことができる。
【００３９】
次に、本発明の第３の実施の形態について説明する。なお、前記第１、第２の実施の形態と同じ構造を有するものについては、同じ符号を付与し、同じ構造を有することによる発明の効果については同実施の形態の効果を援用する。
【００４０】
図９は本発明の第３の実施の形態におけるプリンタの要部を示す斜視図、図１０は本発明の第３の実施の形態におけるカバーの開閉動作を示す第１の図、図１１は本発明の第３の実施の形態におけるカバーの開閉動作を示す第２の図である。
【００４１】
図９に示されるように、排出スタッカ３０は、矢印Ａ、Ｂ方向に進退自在に配設された開閉レバー５２を備え、該開閉レバー５２に一対の係止部材７１が下方に向けて突出させて形成され、各係止部材７１の先端に第１の係止要素としてのフック７２が形成される。前記開閉レバー５２は、付勢部材としてのスプリング７３によって、矢印Ａ方向に付勢される。そのために、スプリング７３は一端が下側筐体１０の所定の箇所に当接させられ、他端が前記開閉レバー５２の所定の箇所に当接させられる。
【００４２】
一方、下側筐体１０には、前記各係止部材７１に対応する箇所に、一対の被係止部材５３が上方に向けて突出させて形成され、各被係止部材５３の先端にフック７２と係合させられる第２の係止要素としての穴７４が形成される。
【００４３】
また、排出スタッカ３０を開放するために、操作部としての、かつ、開放操作部としてのカバーオープンスイッチ５１が、下側筐体１０に対して揺動自在に配設され、前記カバーオープンスイッチ５１の下方に、一端をカバーオープンスイッチ５１の一端に当接させて、他端を下側筐体１０の所定の箇所に当接させて付勢部材としてのスプリング５４が配設される。そして、前記カバーオープンスイッチ５１における開閉レバー５２と対向する部分には、開閉レバー５２と当接させて押圧部７６が形成される。
【００４４】
なお、前記カバーオープンスイッチ５１は、例えば、ポリアセタール樹脂等のような導電性材料によって形成され、前記スプリング５４も導電性材料によって形成され、他端は、装置本体の導電性部位等を介して電源基板上のグラウンドに接続される。
【００４５】
通常、カバーオープンスイッチ５１は図１０に示される位置に置かれ、開閉レバー５２は排出スタッカ３０を閉鎖する閉鎖位置に置かれ、各フック７２と穴７４とが係止させられる。したがって、排出スタッカ３０が開放されるのを阻止することができる。
【００４６】
そして、カバーオープンスイッチ５１を矢印Ｃ方向に押し、矢印Ｄ方向に回転させると、開閉レバー５２は、押圧部７６によって矢印Ｂ方向に押され、排出スタッカ３０を開放するための開放位置に置かれ、各フック７２と穴７４とが解放される。したがって、排出スタッカ３０を開放することができる。
【００４７】
ところで、保守の作業を行うに当たり、操作者は、排出スタッカ３０を開放する必要がある。そこで、操作者が、カバーオープンスイッチ５１を押すために、カバーオープンスイッチ５１に触れることによって、操作者が帯びている静電気を、カバーオープンスイッチ５１、スプリング５４及び装置本体の導電性部位等を介して電源基板上のグラウンドに逃がすことができる。
【００４８】
本実施の形態においては、操作部として、カバーオープンスイッチ５１を使用し、該カバーオープンスイッチ５１をグラウンドに接続するようにしているが、カバーオープンスイッチ５１に代えてプリンタ１１の電源スイッチ、媒体収容部としての媒体カセット１２（図１）の取手等を使用し、電源スイッチ、取手等をグラウンドに接続することができる。その場合、操作者がプリンタ１１の電源をオンにしたり、媒体カセット１２に媒体としての図示されない用紙をセットしたりするための作業を行う際に、電源スイッチ、取手等に触れたときに、操作者が帯びている静電気をグラウンドに逃がすことができる。
【００４９】
前記各実施の形態においては、画像形成装置としてのプリンタについて説明しているが、本発明を、複写機、ファクシミリ装置、複合機等に適用することができる。
【００５０】
また、本発明を、電子装置としてのポータブルＣＤプレイヤー、ノート型パーソナルコンピュータ等に適用することができる。その場合も、ポータブルＣＤプレイヤー、ノート型パーソナルコンピュータ等のカバーを開放しようとして、操作者が所定の部位に触れるのに伴って、操作者が帯びている静電気をグラウンドに逃がすことができる。
【００５１】
なお、本発明は前記各実施の形態に限定されるものではなく、本発明の趣旨に基づいて種々変形させることが可能であり、それらを本発明の範囲から排除するものではない。
【図面の簡単な説明】
【００５２】
【図１】本発明の第１の実施の形態におけるプリンタの要部を示す斜視図である。
【図２】本発明の第１の実施の形態におけるプリンタの概念図である。
【図３】本発明の第１の実施の形態における露光装置ユニットの断面図である。
【図４】本発明の第１の実施の形態におけるＬＥＤヘッドの斜視図である。
【図５】本発明の第１の実施の形態における露光装置ユニットの分解斜視図である。
【図６】本発明の第１の実施の形態における露光装置ユニットの要部を示す図である。
【図７】本発明の第２の実施の形態におけるプリンタの要部を示す斜視図である。
【図８】本発明の第２の実施の形態におけるプリンタの使用形態を示す斜視図である。
【図９】本発明の第３の実施の形態におけるプリンタの要部を示す斜視図である。
【図１０】本発明の第３の実施の形態におけるカバーの開閉動作を示す第１の図である。
【図１１】本発明の第３の実施の形態におけるカバーの開閉動作を示す第２の図である。
【符号の説明】
【００５３】
１１    プリンタ
２４    ＬＥＤヘッド
３３    ロッドレンズアレイ
３６    導電性フィルム
【図１】
2008225344.tif 000003
【図２】
2008225344.tif 000004
【図３】
2008225344.tif 000005
【図４】
2008225344.tif 000006
【図５】
2008225344.tif 000007
【図６】
2008225344.tif 000008
【図７】
2008225344.tif 000009
【図８】
2008225344.tif 000010
【図９】
2008225344.tif 000011
【図１０】
2008225344.tif 000012
【図１１】
2008225344.tif 000013